(57)【特許請求の範囲】
【請求項１】
照度を調整可能な照明装置と、
前記照明装置による照明エリア内の照度を計測する照度センサと、
前記照度センサによる計測照度を示す照度情報信号に基づき、前記照明装置に、該照明装置の照度を制御するための制御信号を送出する照明制御装置と、を備えた照明制御システムにおいて、
前記照度センサは、前記照明制御装置に前記照度情報信号を送出する照度情報送出部と、現在時刻を示す時刻情報を取得する時刻情報取得部と、を有し、
前記照度情報送出部は、前記照度情報信号を所定の時間間隔で定期的に送出すると共に、前記計測照度の変化が所定条件を満たすときにも前記照度情報信号を送出し、前記所定条件を、日の出から日没までの第１時間帯には、所定時間あたりの前記計測照度の変化量が基準の所定値を超える第１条件、又は変化率が基準の所定値を超える第２条件に設定し、日没から次の日の出までの第２時間帯には、前記計測照度が基準の閾値を上回るか又は下回る第３条件に設定することを特徴とする照明制御システム。
【請求項２】
前記照度情報送出部は、前記照明制御装置に、前記照度情報信号と共に、前記照度情報信号に基づく前記制御信号の送出処理の優先度を定める割り込み信号を送出し、
前記照明制御装置は、前記照度情報送出部からの割り込み信号を受信したとき、該割り込み信号により定められる優先度で前記制御信号の送出処理を実行することを特徴とする請求項１に記載の照明制御システム。
【発明の詳細な説明】
【技術分野】
【０００１】
本発明は、照明エリアの照度を照度センサにより計測し、その計測結果に基づいて照明装置を制御する照明制御システムに関する。
【背景技術】
【０００２】
従来から、照明装置による照明エリア内の照度を照度センサで計測し、その計測照度を示す照度情報信号を基に、照明エリア内の照度が目標値になるように管理用端末器が照明装置の照度を制御する照明制御システムが知られている（例えば、特許文献１参照）。この照明制御システムにおいては、照度センサが照度情報信号を管理用端末器に常時、送出する。
【先行技術文献】
【特許文献】
【０００３】
【特許文献１】特開２０１０−１０９３９号公報
【発明の概要】
【発明が解決しようとする課題】
【０００４】
ここで、オフィスビル又は住宅等の建物において、照明装置が設けられると共に窓から太陽光等の外光が差し込む部屋があり、この部屋に上記照明制御システムを導入する場合を想定する。その場合、太陽光の光量変動に伴って室内の照度が変化したとしても、照度センサから常時、照度情報信号が送出されており、その照度情報信号を基に室内の照度が目標値に戻されることから、照度が目標値に戻るまでのタイムラグが短くなる。しかしながら、太陽光の照度変化は基本的に緩やかであり、急激であったとしても、そのような変化の頻度は低い。従って、常時、照度情報信号を基に照度制御を行ったとしても、その制御は非効率的である。
【０００５】
そこで、上記照明制御システムにおいて、制御の効率化を図るため、適当な時間間隔を空けて、照度センサから照度情報信号を管理用端末器に定期的に送信することが考えられる。
【０００６】
しかしながら、そのような構成では、照度情報信号の送信の空き時間に、室内の照度が変化して目標値から外れても、その空き期間中には、その照度変化に対応することができず、照度はそのままにされる。その照度変化に対応できるのは、管理用端末器が照度センサから次の照度情報信号を受信するときである。そのため、照度を目標値に戻すまでの期間（タイムラグ）が長くなってしまい、照度変化が急激な場合には照度が目標値から大幅に外れる虞がある。
【０００７】
本発明は、上記の問題を解決するためになされたものであり、室内等の照明エリア内の照度を効率的に制御でき、その照度が外光等の影響により急激に変化しても照度を迅速に戻して変化量を低減できる照明制御システムを提供することを目的とする。
【課題を解決するための手段】
【０００８】
上記目的を達成するために本発明の照明制御システムは、照度を調整可能な照明装置と、前記照明装置による照明エリア内の照度を計測する照度センサと、前記照度センサによる計測照度を示す照度情報信号に基づき、前記照明装置に、該照明装置の照度を制御するための制御信号を送出する照明制御装置と、を備えた照明制御システムにおいて、前記照度センサは、前記照明制御装置に前記照度情報信号を送出する照度情報送出部と、現在時刻を示す時刻情報を取得する時刻情報取得部と、を有し、前記照度情報送出部は、前記照度情報信号を所定の時間間隔で定期的に送出すると共に、前記計測照度の変化が所定条件を満たすときにも前記照度情報信号を送出し、前記所定条件を、日の出から日没までの第１時間帯には、所定時間あたりの前記計測照度の変化量が基準の所定値を超える第１条件、又は変化率が基準の所定値を超える第２条件に設定し、日没から次の日の出までの第２時間帯には、前記計測照度が基準の閾値を上回るか又は下回る第３条件に設定することを特徴とする。
【００１１】
この発明において、前記所定条件は、前記計測照度の所定時間あたりの変化量若しくは変化率が所定値を超えるか、又は前記計測照度が閾値を上回るか若しくは下回ることが好ましい。
【発明の効果】
【００１２】
本発明によれば、照度センサから照明制御装置に照度情報信号が定期的に送信されることから、照明制御装置はその照度情報信号を基に適当な時間間隔で照明装置を制御することができ、常時制御の場合と比べて、制御が効率的になる。また、照度が照度情報信号の定期送信の空き期間に外光等の影響により急激に変化したとしても、変化が所定条件を満たしていれば、照度センサから照度情報信号が送出されることから、その照度情報信号を基に照度を迅速に戻して変化量を低減することができる。
【図面の簡単な説明】
【００１３】
【図１】本発明の一実施形態に係る照明制御システムの適用例を示す一点透視図。
【図２】上記照明制御システムの電気的ブロック図。
【図３】上記照明制御システムにおける照度センサの設定シーケンス図。
【図４】上記照明制御システムにおける自発送信モード時の照明装置の調光制御シーケンス図。
【図５】上記照明制御システムにおけるセレクティング要求モード時の照明装置の調光制御シーケンス図。
【図６】上記照明制御システムの動作例を示す図。
【図７】上記実施形態の一変形例に係る照明制御システムの電気的ブロック図。
【図８】上記照度制御システムにおける基準超え照度情報信号の送信条件の自動変更処理を示すフローチャート。
【発明を実施するための形態】
【００１４】
本発明の一実施形態に係る照明制御システムについて図１乃至図６を参照して説明する。図１は、本実施形態の照明制御システムの構成を示す。その照明制御システム１は、照明装置２Ａ、２Ｂ（以下、照明装置２と総称）と、照明装置２による照明エリアＡ１内の照度を計測する照度センサ３と、その計測結果を基に照明装置２を調光制御する伝送親機４（照明性制御装置）と、設定器５とを備える。設定器５は、照度センサ３による照度計測及び照明装置２への調光制御等に関する設定を行うためのものである。
【００１５】
各照明装置２は、照度を調整可能に、すなわち調光可能に構成されており、室内の天井又は壁等に設置される。照明装置２の数は、図示したような２台（２Ａ、２Ｂ）に限定されず、１台又は３台以上であってもよい。
【００１６】
照度センサ３は、室内の天井又は壁等で、照明エリアＡ１の照度を計測可能な位置に設置される。照度センサ３は、照明エリアＡ１を照らす、照明装置２の照明光Ｌ１と、照明エリアＡ１に差し込む外光、例えば太陽光Ｌ２とを併せて受光し、照明光Ｌ１と外光との合成光による照度を計測する。
【００１７】
伝送親機４は、外光の光量変動等に伴って照明エリアＡ１内の照度が変化しそうになるときに照度センサ３による計測結果を基に照明装置２の照度を増減させて上記照度を一定に保つ。
【００１８】
照明装置２、照度センサ３、伝送親機４及び設定器５は、例えば正負の極性を有する２線式の信号線６によりバス型に接続されてネットワーク化されており、それぞれにアドレスが付されている。伝送親機４は、それらのアドレスを用いて、照明制御システム１内の各機器間の信号伝送を集中的に制御する。伝送親機４は、例えば分電盤に組み込まれている。
【００１９】
図２は、照明装置２、照度センサ３、伝送親機４及び設定器５の各々の構成を示す。各照明装置２は互いに同じ構成を有するので、各照明装置２のうち、代表として照明装置２Ａについてのみ説明する。
【００２０】
照明装置２Ａは、光源２１と、光源２１を制御するための制御信号を伝送親機４から受信する通信回路２２と、通信回路２２により受信された制御信号に基づき、光源２１の点灯、消灯及び調光を制御する制御回路２３とを有する。
【００２１】
照度センサ３は、照明エリアＡ１（図１参照）内の現在の照度を計測するセンサ素子３１と、センサ素子３１による計測照度（以下、単に計測照度という）を示す照度情報信号（以下、単に照度情報信号という）をＡ／Ｄ変換するＡ／Ｄ変換回路３２とを有する。また、照度センサ３は、Ａ／Ｄ変換回路３２によるＡ／Ｄ変換後の照度情報信号を伝送親機４に送出する通信回路３３と、通信回路３３の通信制御を行う制御回路３４と、照度情報信号の送出に関する設定を行うための操作部３５とを有する。通信回路３３及び制御回路３４は、照度情報送出部を構成する。
【００２２】
通信回路３３は、所定の時間間隔で定期的に照度情報信号を送出すると共に、計測照度の変化が所定の送信条件を満たすときにも照度情報信号を送出する。上記送信条件としては、例えば、後述する第１乃至第３条件が設定されており、それらは操作部３５及び設定器５のいずれを用いても選択可能である。第１条件は、所定時間、例えば１秒間あたりの計測照度の変化量が基準の所定値、例えば１０００ｌｘを超えることである。第２条件は、所定時間、例えば１秒間あたりの計測照度の変化率が基準の所定値、例えば５０％を超えることである。第３条件は、計測照度が基準の閾値を上回るか又は下回ることである。基準の閾値は、例えば５０ｌｘ、又はセンサ素子３１による計測可能な照度範囲の上限値と下限値との差分に所定割合、例えば２０％を乗じた値を下限値に足した照度である。以下、計測照度における上記送信条件を満たす変化を「基準超え変化」といい、その基準超え変化時の計測照度を「基準超え照度」といい、その基準超え照度を示す照度情報信号を「基準超え照度情報信号」という。制御回路３４は、伝送親機４に、基準超え照度情報信号と共に、その基準超え照度情報信号に基づく処理の優先度を定める割り込み信号を送出することが望ましい。その処理は、光源２１を制御するための制御信号を各照明装置２に送出する処理である。
【００２３】
また、通信回路３３は、基準超え照度情報信号の送信処理を、非送信モード、自発送信モード、及びセレクティング要求モードのいずれかの送信モードで実行する。非送信モードでは、通信回路３３は、計測照度の基準超え変化時であっても基準超え照度情報信号を送出しない。自発送信モードでは、通信回路３３は、基準超え変化時に、伝送親機４へのユニキャスト、又は照明制御システム１内の他の機器へのマルチキャスト若しくはブロードキャストにより、基準超え照度情報信号を自発的に送信する。セレクティング要求モードでは、通信回路３３は、通信回路基準超え変化時にその変化があったことを示す照度変化情報信号だけをセレクティング要求信号として伝送親機４に送信する。その場合、伝送親機４は、照度変化情報信号に対する応答として、通信回路３３に基準超え照度情報信号の送信を要求し、通信回路３３は、その要求に対する応答として、伝送親機４に基準超え照度情報信号を送出する。
【００２４】
制御回路３４は、計測照度が上記送信条件を満たすか否かを判断し、計測照度が送信条件を満たすと判断したとき、通信回路３３に照度情報信号を送出させる。制御回路３４は、ＣＰＵを含むマイクロプロセッサ等により構成できる。
【００２５】
操作部３５は、送信モード選択スイッチ３５ａと、送信条件選択スイッチ３５ｂと、パラメータ調整スイッチ３５ｃと、設定記憶用スイッチ３５ｄとを有する。送信モード選択スイッチ３５ａは、基準超え照度情報信号の送信モードを選択するためのスイッチである。送信条件選択スイッチ３５ｂは、基準超え照度情報信号の送信条件を選択するためのスイッチである。パラメータ調整スイッチ３５ｃは、送信条件選択スイッチ３５ｂにより選択された種類の送信条件における基準の所定値又は閾値を設定するためのスイッチである。設定記憶用スイッチ３５ｄは、操作部３５の他のスイッチによる各種設定内容の保存を指示するためのスイッチである。制御回路３４は、送信モード選択スイッチ３５ａ、基準設定スイッチ３５ｂ、及びパラメータ調整スイッチ３５ｃによる設定情報を、ユーザによる設定記憶用スイッチ３５ｄへの操作に応じて不図示のメモリに格納する。そして、制御回路３４は、そのメモリに格納した設定情報に従って動作する。
【００２６】
伝送親機４は、照明制御システム１内の各機器と通信可能な通信回路４１と、通信回路４１の通信制御を行う制御回路４２とを有する。制御回路４２は、通信回路４１を用いて、照明制御システム１内の各機器を集中制御及び各機器間の通信制御を行う。制御回路４２は、通信回路４１により受信される照度センサ３からの照度情報信号に基づき、照明装置２に、その照度を制御するための制御信号を作成し、通信回路４１は、その作成された制御信号を照明装置２に送出する。制御回路４２は、照度センサ３による計測照度が、目標値を基準に予め設定された許容範囲に収まるように各照明装置２の照度を制御することで、照明エリアＡ１内の照度を略一定に保つ。照度センサ３による基準超え照度情報信号の送信において、第３条件の基準とされている閾値は、この許容範囲外の値に設定されている。制御回路４２は、各照明装置２の照度を一律に制御してもよいし、それらの照度を独立して個別に制御しても構わない。
【００２７】
また、制御回路４２は、照度センサ３からの割り込み信号を受信したとき、その割り込み信号により定められる優先度で、制御信号の送出処理を実行する。例えば、制御回路４２は、割り込み信号の受信時に、上記送出処理以外の他の処理を実行中である場合、実行中の処理の優先度と、割り込み信号により定められる優先度（送出処理の優先度）と比較する。そして、制御回路４２は、実行中の処理の優先度よりも送出処理の優先度の方が高ければ、実行中の処理を一時中断して、送出処理を実行し、その後、中断していた処理を再開する。また、制御回路４２は、割り込み信号の受信時に、上記送出処理以外の他の処理を実行する予定である場合、実行予定の処理の優先度と送出処理の優先度とを比較する。そして、制御回路４２は、実行予定の処理の優先度よりも送出処理の優先度の方が高ければ、実行予定であった処理を遅らせて、送出処理を先に実行する。
【００２８】
設定器５は、照度センサ３の設定のための操作部５１と、照度センサ３と通信可能な通信回路５２と、操作部５１による設定情報を表示する表示部５３と、操作部５１による設定情報を通信回路５２から照度センサ３に送出させる制御回路５４とを有する。操作部５１は、操作部３５の各種スイッチとそれぞれ同等の構成を有する送信モード選択スイッチ５１ａ、送信条件選択スイッチ５１ｂと、パラメータ調整スイッチ５１ｃと、設定記憶用スイッチ５１ｄとを有する。また、操作部５１は、照度センサ３の基準超え照度情報信号の送出処理に関する現在設定（以下、単に照度センサ３の現在設定という）の確認を指示するための設定確認スイッチ５１ｅをさらに有する。
【００２９】
次に、照明制御システム１における各機器間の通信方法について説明する。照度センサ３の制御回路３４及び設定器５の制御回路５４は、各種信号を送出しようとするとき、予め設定された自機のアドレスを送信元のアドレスとして付した信号を送出する。
【００３０】
伝送親機４の制御回路４２は、その送出された各種信号を受信し、その受信された信号の内容、及びその信号に付されたアドレスから、送信先を判断し、送信先のアドレスを付加した信号を送出する。
【００３１】
照明装置２の制御回路２３及び照度センサ３の制御回路３４は、信号線６により伝送される各種信号に付された送信先のアドレスと、予め設定された自機のアドレスとを比較し、それらが一致するとき、伝送される信号を自機宛の信号と認識する。
【００３２】
ところで、上述したように、照度センサ３における基準超え照度情報信号の送出処理については、照度センサ３の操作部３５と、照度センサ３とは別体に設けられた設定器５とのいずれを用いても設定することができる。そのため、設定器５により照度センサ３の現在設定を正確に把握するには、操作部３５を用いて設定がなされるときに、その設定情報を設定器５に通知するか、又は設定器５による設定の度に照度センサ３にアクセスして現在設定を確認する必要がある。本実施形態は、後者の確認処理を実行するように構成されている。
【００３３】
図３は、その確認処理の手順を示す。照明装置２、照度センサ３、伝送親機４及び設定器５間の各種通信処理は、夫々の制御回路による制御の下、夫々の通信回路により実行されるが、説明の便宜上、各回路についての説明は省略する。
【００３４】
設定器５の設定確認スイッチ５１ｅが操作されるとき、設定器５は、現在の設定情報の開示を要求する設定情報要求信号を信号線６に送出する（Ｓ１１）。伝送親機４は、設定器５から送出された設定情報要求信号を信号線６を介して受信し、その設定情報要求信号の送信先を照度センサ３と判別し、設定情報要求信号を照度センサ３に転送する（Ｓ１２）。
【００３５】
照度センサ３は、現在の設定情報を確認し、その設定情報を示す設定情報通知信号を信号線６に送出する（Ｓ１３）。伝送親機４は、照度センサ３からの設定情報通知信号を信号線６を介して受信し、その設定情報通知信号の送信先を設定器５と判別し、設定情報通知信号を設定器５に転送する（Ｓ１４）。  
【００３６】
そして、設定器５の操作部５１が操作されて、照度センサ３の設定情報が入力されると、設定器５は、その設定情報の反映を要求する設定反映要求信号を信号線６に送出する（Ｓ１５）。伝送親機４は、設定器５からの設定反映要求信号を信号線６を介して受信し、その設定情報要求信号の送信先を照度センサ３と判別し、設定反映要求信号を照度センサ３に転送する（Ｓ１６）。
【００３７】
図４は、照度センサ３の送信モードが自発送信モードに設定されているときの照明装置２の調光制御処理の手順を示す。伝送親機４は、所定の時間間隔Ｔ１で照度情報信号の送信を要求する照度情報信号要求信号を照度センサ３に送信する（Ｓ２１）。照度センサ３は、伝送親機４からの照度情報信号要求信号を受信すると、その度に、現在の計測照度を示す照度情報信号を伝送親機４に返信する（Ｓ２２）。このようにして、照度センサ３は、照度情報信号を定期的に送出する。伝送親機４は、照度センサ３からの照度情報信号を受信すると、その照度情報信号に示される計測照度に基づき、照明エリアＡ１（図１参照）の照度を一定に維持するための制御信号を各照明装置２に送信し、照明装置２を調光制御する（Ｓ２３）。
【００３８】
そして、照明エリアＡ１の計測照度について、基準超え変化が生じたとき、照度センサ３は、基準超え照度情報信号を伝送親機４に即時送信する（Ｓ２４）。伝送親機４は、照度センサ３からの基準超え照度情報信号に基づき、Ｓ２３と同等の調光制御処理を実行する（Ｓ２５）
【００３９】
図５は、照度センサ３の送信モードがセレクション要求モードに設定されているときの照明装置２の調光制御処理の手順を示す。この調光制御処理は、図４に示す処理と比べて、Ｓ２４、Ｓ２５の処理をＳ３１〜Ｓ３６の処理に変更したものであり、変更点についてのみ説明する。
【００４０】
照明エリアＡ１の計測照度について、基準超え変化が生じたとき、照度センサ３は、基準超え変化の発生を示す照度変化情報信号を伝送親機４に送信する（Ｓ３１）。伝送親機４は、照度センサ３からの照度変化情報信号を受信すると、セレクティング信号を照度センサ３に出力する（Ｓ３２）。照度センサ３は、伝送親機４からのセレクティング信号を受信すると、自機が伝送親機４の通信対象として選択されたことを認識し、その選択を認識した旨の応答信号を伝送親機４に返信する（Ｓ３３）。このようにして、照度センサ３と伝送親機４との間の通信が確立され、伝送親機４は、照度センサ３からの応答信号の受信に基づき、照度情報信号要求信号を照度センサ３に送出する（Ｓ３４）。照度センサ３は、伝送親機４からの照度情報信号要求信号を受信すると、基準超え照度情報信号を伝送親機４に返信する（Ｓ３５）。伝送親機４は、照度センサ３からの基準超え照度情報信号を受信すると、その基準超え照度情報信号に示される計測照度に基づき、照明エリアＡ１（図１参照）の照度を一定に維持するための制御信号を各照明装置２に送信し、照明装置２を調光制御する（Ｓ３６）。
【００４１】
次に、本実施形態の照明制御システム１の動作について図６を参照して説明する。図６は、照明制御システム１により制御された照明エリアＡ１内の照度の変化の一例を示す。同図において、目標照度をＩＴ、許容範囲をＡ２、照度センサ３の基準超え照度情報信号の送信条件を満たすか否かについての判断基準になる照度の閾値をＩＴＨ、照度情報信号の定期送信の間隔（定期照度計測の間隔）をＴ１とする。ここでは、上記送信条件が、照明エリアＡ１内の照度が閾値ＩＴＨを下回ること（第３条件）であるとする。
【００４２】
図示のように、照度センサ３から伝送親機４には照明エリアＡ１内の照度情報信号が時間間隔Ｔ１を空けて定期的に送信されることから、伝送親機４はその照度情報信号を基に適当な時間間隔を空けて照明装置２を制御することができる。従って、常時制御の場合と比べて、制御を効率的なものにすることができる。
【００４３】
また、照明エリアＡ１内の照度が許容範囲Ａ２に収まるように各照明装置２の照度が制御されることから、照明エリアＡ１内の照度を略一定に維持することができる。
【００４４】
また、照度情報信号の定期送信の空き期間に、照明エリアＡ１内の照度が外光等の影響により閾値ＩＴＨを下回っても、従来では、伝送親機４が次の照度情報信号を受信して各照明装置２の照度制御を行うまで、照明エリアＡ１内の照度がそのままにされてしまう。ここで、照度が基準の閾値ＩＴＨを下回ったときから、照明エリアＡ１内の照度が許容範囲Ａ２内に戻されるまでの従来のタイムラグをＴ２とする。
【００４５】
一方、本実施形態では、照明エリアＡ１内の照度が閾値ＩＴＨを下回るとき、照度センサ３が基準超え照度情報信号を伝送親機４に送出する。そのため、伝送親機４は、定期送信による次の照度情報信号の受信を待たずに、その基準超え照度情報信号を基に各照明装置２を照度制御して、照明エリアＡ１内の照度を許容範囲Ａ２内に迅速に戻すことができる。従って、本実施形態のタイムラグＴ３は、従来のタイムラグＴ２と比べて短くなる。その結果、照明エリアＡ１内の照度変化が急激なものであっても、その変化量を低減することができ、照度制御の精度を向上することができる。
【００４６】
また、図６に示されていない点ではあるが、照度センサ３が割り込み信号と共に基準超え照度情報信号を送出する場合、伝送親機４において、その割り込み信号に基づき、照明装置２の照度制御処理を優先的に実行することができる。従って、照度変化時の照度制御の応答速度を向上することができる。
【００４７】
次に上記実施形態の一変形例に係る照明制御システム１について図７を参照して説明する。図７は、本変形例の照明制御システム１の構成を示す。本変形例では、照度センサ３がタイマ３７をさらに有する。制御回路３４は、そのタイマ３７を用いて、現在時刻を示す現在時刻情報を取得し（時刻情報取得部）、その取得した現在時刻情報に基づき、照度センサ３の基準超え照度情報信号の送信条件（以下、単に送信条件という）を自動的に変更する。その送信条件は、時間帯に応じて変更される。照度センサ３の操作部３５、設定器５は、それぞれ、送信条件の自動変更を設定するか、又はその設定を解除するための条件自動変更設定スイッチ３５ｅ、５１ｆを有する。
【００４８】
ここで、日の出から日没までの時間帯を第１時間帯とし、日没から次の日の明け方（日の出）までの時間帯を第２時間帯とする。第１時間帯と第２時間帯とを比べると、第１時間帯には、照明エリアＡ１（図１参照）に差し込む太陽光Ｌ２の照度は、太陽の高さ及び天候等に起因して大幅に変動し、照明エリアＡ１内の照度の変化量が多くなる。しかも、太陽光Ｌ２の照度は、短時間に大幅に変動して、照明エリアＡ１内の所定時間あたりの照度変化率が高くなることがある。それに対して、第２時間帯には、照明エリアＡ１の照度は、太陽光Ｌ２の影響を殆ど受けないことから、照明エリアＡ１の照度が変化したとしても、変化量は少なく、変化率も低い。
【００４９】
そこで、制御回路３４は、第１時間帯の送信条件を、所定時間あたりの計測照度の変化量が基準の所定値を超える第１条件、又は変化率が基準の所定値を超える第２条件に設定する。第１時間帯の送信条件を、第１条件と第２条件のいずれに設定するかは、予め設定されていてもよいし、ユーザ操作により設定可能であってもよい。そして、制御回路３４は、第２時間帯の送信条件を、計測照度が基準の閾値を上回るか又は下回る第３条件に設定する。
【００５０】
図８は、本変形例における送信条件の自動変更処理の手順を示す。制御回路３４は、条件自動変更設定スイッチ３５ｅ、５１ｆのいずれかにより、送信条件の自動変更設定があったとき（Ｓ５１でＹｅｓ）、タイマ３７を用いて現在時刻情報を取得する（Ｓ５２）。そして、制御回路３４は、現在が第１時間帯であるか否かを判断し、第１時間帯であると判断したとき（Ｓ５３でＹｅｓ）、送信条件を第１条件又は第２条件に設定し（Ｓ５４）、設定された条件に基づいて各照明装置２の照度制御を行う（Ｓ５５）。
【００５１】
一方、現在が第１時間帯ではなく、第２時間帯であると判断されたとき（Ｓ５３でＮｏ）、制御回路３４は、送信条件を第３条件に設定し（Ｓ５６）、第３条件で照度制御を行う（Ｓ５７）。
【００５２】
本変形例においては、時間帯に適した照度制御を行うことができ、照度制御性能の向上を図ることができる。
【００５３】
なお、本発明は、上記の実施形態及び変形例の構成に限定されるものでなく、使用目的に応じ、様々な変形が可能である。例えば、図３に示す処理Ｓ１１〜Ｓ１４は、省略されていてもよい。
【００５４】
また、照度センサ３は、タイマにより計時して、照度情報信号を自発的に伝送親機４に定期送信しても構わない。また、照度センサ３の制御回路３４は、所定時間あたりの計測照度の変化率が所定値よりも高ければ、基準超え照度情報信号の送信条件を第１条件又は第２条件に設定し、上記変化率が所定値よりも低ければ、送信条件を第３条件に設定してもよい。その場合、きめ細やかな照度制御が可能になる。
【００５５】
また、照度センサ３と伝送親機４との間の通信は、ポーリング方式でなされても構わない。その場合、伝送親機４は、照度センサ３から照度変化情報信号を受信したとき（図５のＳ３１参照）、ポーリング信号を照度センサ３に返し、その後、両者の間でポーリング方式の通信が確立される。
【００５６】
また、伝送親機４は、分電盤とは別体に設けられ、天井等に設置されていても構わない。また、伝送親機４の制御回路４２は、照度センサ３から定期送信される照度情報信号を基に、計測照度の履歴をメモリに記憶してもよい。そして、制御回路４２は、その履歴を基に、照明エリアＡ１の照度変化を予測し、その予測結果を基に、照明エリアＡ１の照度が許容範囲Ａ２外にならないように前もって各照明装置２の照度制御を行ってもよい。
【符号の説明】
【００５７】
１  照明制御システム
２  照明装置
３  照度センサ
３３  通信回路（照度情報送出部）
３４  制御回路（照度情報送出部、時刻情報取得部）
３７  タイマ
４  伝送親機（照明制御装置）
Ａ１  照明エリア
【図１】
0005891450.tif 000002
【図２】
0005891450.tif 000003
【図３】
0005891450.tif 000004
【図４】
0005891450.tif 000005
【図５】
0005891450.tif 000006
【図６】
0005891450.tif 000007
【図７】
0005891450.tif 000008
【図８】
0005891450.tif 000009